(57)【要約】【課題】表示部に操作者に応じた表示態様を適用することができる、売上データ処理装置を提供する。【解決手段】キー操作による操作者からの情報入力を受け付ける入力部と、表示部の表示態様を、前記情報入力の速度に応じて更新する制御部と、を備える売上データ処理装置。【選択図】図６
2020013503.tif 000002
【特許請求の範囲】
【請求項１】
キー操作による操作者からの情報入力を受け付ける入力部と、
表示部の表示態様を、前記情報入力の速度に応じて更新する制御部と、
を備える売上データ処理装置。
【請求項２】
前記制御部は、前記情報入力の速度が閾値よりも遅いとき、前記表示態様を、より大きな文字サイズとレイアウトが定義された所定の表示態様に切り替える
ことを特徴とする請求項１に記載の売上データ処理装置。
【請求項３】
前記制御部は、前記情報入力の速度が閾値よりも遅いとき、前記表示態様の文字サイズをより大きく表示させると共に、前記表示態様のレイアウトを前記文字サイズに合わせて調整する、
ことを特徴とする請求項１に記載の売上データ処理装置。
【請求項４】
前記制御部は、前記情報入力の速度が前記閾値よりも遅いとき、いずれかの表示項目に係る文字情報の表示の省略を行う、
ことを特徴とする請求項２または請求項３に記載の売上データ処理装置。
【請求項５】
前記制御部は、前記省略において、１つの商品明細情報を１行に収める、
ことを特徴とする請求項４に記載の売上データ処理装置。
【請求項６】
前記制御部は、前記省略において、表示させる前記文字サイズに応じて、商品名情報の付帯情報を省略する
ことを特徴とする請求項４に記載の売上データ処理装置
【請求項７】
前記制御部は、前記省略において、表示させる前記文字サイズに応じて、商品名情報の末尾の文字列を省略する、
ことを特徴とする請求項４に記載の売上データ処理装置
【請求項８】
前記制御部は、前記情報入力の速度が閾値よりも速いとき、前記表示態様を、より小さな文字サイズとレイアウトが定義された所定の表示態様に切り替える
ことを特徴とする請求項１に記載の売上データ処理装置。
【請求項９】
前記制御部は、前記情報入力の速度が閾値以上に速いとき、前記表示態様の文字サイズをより小さく表示させると共に、前記表示態様のレイアウトを前記文字サイズに合わせて調整する、
ことを特徴とする請求項１に記載の売上データ処理装置。
【請求項１０】
前記制御部は、所定の区切り入力ごとに前記情報入力の速度を算出し、前記表示部による表示を、前記情報入力の速度に応じて更新する、
ことを特徴とする請求項１ないし９のうちいずれか１項に記載の売上データ処理装置。
【請求項１１】
前記入力部は、前記操作者の識別情報の入力を受け付け、
前記制御部は、前記操作者の識別情報が入力されたとき、前記操作者による前回の情報入力の速度に応じた表示態様で、前記表示部に情報を表示させる、
ことを特徴とする請求項１ないし１０のうちいずれか１項に記載の売上データ処理装置。
【請求項１２】
前記制御部は、前記入力部が情報入力の訂正入力を受け付けた際、当該訂正入力を入力に含めず、かつ前記情報入力の速度から所定値を減算する、
ことを特徴とする請求項１ないし１０のうちいずれか１項に記載の売上データ処理装置。
【請求項１３】
入力部と表示部とを備えるコンピュータに、
前記入力部により情報入力を受け付ける工程、
前記情報入力の速度に応じた表示態様で前記表示部に情報を表示させる工程、
を実行させるための売上データ処理プログラム。
【発明の詳細な説明】
【技術分野】
【０００１】
本発明は、売上データ処理装置および売上データ処理プログラムに関する。
【背景技術】
【０００２】
売上データ処理装置（電子キャッシュレジスター（ＥＣＲ））に表示される情報の認識力（以下、表示認識力と称する）は、個々の操作者によって異なっている。文字サイズ等の大きな表示を「読みやすく操作しやすい」と感じる操作者がいる一方、文字サイズ等の小さな表示を「一覧性が高く操作速度が向上する」と感じる操作者もいる。
【０００３】
よって、売上データ処理装置には、個々の操作者の表示認識力に合わせて、表示部の表示態様を変更できることが求められる。さらに、好適な表示態様が自動で判定され適用されれば、操作者は表示態様の調整操作を手動で行うことなく、見やすい表示態様の表示部を見ながら操作することができるようになる。
【０００４】
表示態様の自動判定について、例えば特許文献１には、手書き入力の速度を測定する入力速度測定部と、測定した入力速度に応じて、変換する文字の属性を決定する文字属性決定部を具備することを特徴とする手書き文字入力装置が開示されている。このような装置によれば、１文字毎の入力速度に応じて、文字サイズ等の文字属性が決定されるため、別途、文字属性を指定する操作を不要とすることが出来る。
【先行技術文献】
【特許文献】
【０００５】
【特許文献１】特開２００１−２６６０７１号公報
【発明の概要】
【発明が解決しようとする課題】
【０００６】
しかしながら、特許文献１において変更対象となっているのは文字属性のみであり、表示文字の周囲の余白や、表示文字と余白とを含むレイアウトの調整には言及されていない。売上情報処理装置においては、１つの商品明細情報が一纏まりの情報として一瞥して視認できる表示態様で表示されることが重要であるが、特許文献１の装置ではこのような表示を実現できない。
【０００７】
以上を踏まえ、本発明の課題は、表示部に操作者に応じた表示態様を適用することができる、売上データ処理装置を提供することである。
【課題を解決するための手段】
【０００８】
すなわち、本発明の売上データ処理装置はキー操作による操作者からの情報入力を受け付ける入力部と、表示部の表示態様を、前記情報入力の速度に応じて更新する制御部と
を備える。
【発明の効果】
【０００９】
本発明によれば、表示部に操作者に応じた表示態様を適用することができる、売上データ処理装置を提供することが可能となる。
【図面の簡単な説明】
【００１０】
【図１】第１の実施形態における売上データ処理装置の筐体を斜め前方から見たときの外観図である。
【図２】第１の実施形態の売上データ処理装置の構成を示すブロック図である。
【図３】第１の実施形態の売上データ処理装置の入力部の構成を示す図である。
【図４Ａ】売上登録処理時における第１の実施形態の表示部の表示態様を示す概略図である。
【図４Ｂ】売上登録処理時における第１の実施形態の表示部の表示態様を示す概略図である。
【図４Ｃ】売上登録処理時における第１の実施形態の表示部の表示態様を示す概略図である。
【図５】売上登録処理時における第１の実施形態の変形例の表示部の表示態様を示す概略図である。
【図６】第１の実施形態において、操作者がサインインしてから、売上登録を完了するまでのフロー図である。
【図７】売上データ処理装置が算出した入力速度に基づいて、表示態様を設定し、設定した設定情報をキャッシャー情報に保存するまでのフロー図である。
【図８】第２の実施形態における売上データ処理装置４の筐体を斜め前方から見たときの外観図である。
【図９】第２の実施形態における売上データ処理装置の構成を示すブロックである。
【図１０】第２の実施形態における売上データ処理装置の売上登録画面を示す概略図である。
【図１１】第２の実施形態における売上データ処理装置の締め画面を示す概略図である。
【図１２】第２の実施形態の売上登録画面と締め画面とに共通して表示される伝票情報欄の表示態様を示す概略図である。
【図１３】第２の実施形態の売上登録画面と締め画面とに共通して表示される伝票情報欄の表示態様を示す概略図である。
【図１４】第２の実施形態の売上登録画面と締め画面とに共通して表示される伝票情報欄の表示態様を示す概略図である。
【図１５】売上登録処理時における第２の実施形態の変形例の売上登録画面と締め画面とに共通して表示される伝票情報欄の表示態様を示す概略図である。
【図１６】第２の実施形態において、操作者がサインインしてから、売上登録を完了するまでのフロー図である。
【発明を実施するための形態】
【００１１】
以下、図面を参照して、本発明の実施の形態について詳細に説明する。なお、各図は、本発明を十分に理解できる程度に概略的に示してあるに過ぎない。よって本発明は、図示例のみに限定されるものではない。
【００１２】
図１は、第１の実施形態における売上データ処理装置１の筐体を斜め前方から見たときの外観図である。
売上データ処理装置１は、ドロア１７の上に筐体が設けられた小店舗向けのコンパクトタイプのＥＣＲである。なお、ドロア１７は、売上データ処理装置１の筐体と分離して配置可能である。
【００１３】
この売上データ処理装置１は、筐体上面に設けられた入力部１５および表示部１２と、筐体左側に設けられた印刷部１６を含んで構成される。
【００１４】
売上データ処理装置１の操作者は、入力部１５のキーを操作することにより、売上データ処理装置１に対する様々な情報入力を行う。例えば、操作者は、入力部１５を介して商品の単価と部門とを入力し、小計を表示させたのちに預り金を入力することで、売上を登録することができる。この売上の登録時に、売上データ処理装置１は、ドロア１７を引き出して、預り金を入金させる。
【００１５】
図２は、第１の実施形態の売上データ処理装置１の構成を示すブロック図である。
【００１６】
図２において、売上データ処理装置１は、ＣＰＵ（Central Processing Unit）１１、表示部１２，ＲＡＭ（Random Access Memory）１３、記憶部１４、入力部１５、印刷部１６、ドロア１７、計時部１８を含んで構成されており、各部はバスによって接続されている。
【００１７】
ＣＰＵ１１は、制御部として働き、記憶部１４に記憶されている売上データ処理プログラム１４１と、入力部１５から入力される各種指示とを、ＲＡＭ１３内のワークメモリに展開する。ＣＰＵ１１はさらに、この入力指示及び入力データに応じてワークメモリに展開した売上データ処理プログラム１４１に従って各種処理を実行し、その処理結果をＲＡＭ１３内のワークメモリに格納するとともに、表示部１２に表示する。
【００１８】
図３は、第１の実施形態の売上データ処理装置１の入力部１５の構成を示す図である。
入力部１５は、７行６列のマトリックス状に配置されたキー群を含み、これらキー群は４つのブロックに分割されている。売上登録に用いられるキーは、主に左下のブロックと右下のブロックに配置されている。ここでは、キー群のうち左下のブロックと右下のブロックとを主に説明し、左上のブロックの一部と右上のブロックの説明を省略する。
【００１９】
「Ｃ」キー（クリア）２９は、オペレータが入力を誤ったときに用いられる。「×／日時」キーは、乗算登録に用いられると共に、時刻や日付を表示するときに用いられる。「万円」キーは、１万円札を預かったときに用いられる。
【００２０】
「９」〜「０」，「００」，「・」などからなる置数キー２１は、数値の入力に用いられる。
【００２１】
右下のブロックに属する「部門１」から「部門５」までのキーからなる「部門」キー２２は、オペレータが売上を登録する際に用いられる。「小計」キー２３は、一部、または全部の売上の登録を完了し、登録金額の合計を見るときに用いられる。全ての売上を登録して金額に誤りがなかった場合は、操作者は預り金の入力や、クレジットカードによる支払い、商品券による支払いなど、売上登録の完了処理に進む。「現／預」キー２４は、現金による支払いの際の、売上登録の完了のときに用いられる。「信」キー（信用売り）２５は、クレジットカードによる支払いの際の、売上登録の完了のときに用いられる。「券」キー（券売り）２６は商品券による支払いの際の、売上登録の完了のときに用いられる。
【００２２】
左上のブロックに属する「訂正／中止」キー２７は、売上を登録するために「部門」キー２２を押したあとに間違いに気づいた場合、直前に登録した売上のみを取り消すときに用いられる。「戻」キー２８は、いくつかの売上を登録したあとに間違いに気づき、間違えた売上に遡って訂正する場合や、間違えて売上を登録した商品をいったん返品処理するときに用いられる。
【００２３】
この他、「入金」キーは、入金時に用いられる。「出金」キーは、出金時に用いられるとともに、電子ジャーナルレポート発行時にも用いられる。「−」キーは、値引時に用いられ、「％」キーは割引時に用いられる。「＃／替」キーは、番号印字または両替時に用いられる。
【００２４】
右上のブロックに属する「担当者／部門シフト」キーは操作者の認証機能を使用するときに用いられ、「ＰＬＵ」キーは、商品をＰＬＵ（Price Look Up）番号で指定する際に用いられる。
【００２５】
図４Ａ〜４Ｃは、売上登録処理時における第１の実施形態の表示部１２の表示態様１２０Ａ〜１２０Ｃを示す概略図である。
売上データ処理装置１は、個々の操作者の異なる表示認識力に対応できるよう、表示態様として、所定の文字サイズと所定のレイアウトの定義された表示態様１２０Ａ〜１２０Ｃの３つのパターンを備えている。なお、図４Ａ〜４Ｃは、表示態様１２０Ａ〜１２０Ｃの文字サイズとレイアウトを示すものであり、記載された文字情報は操作者の入力に応じて更新される。
【００２６】
商品明細情報は、商品情報、個数情報、金額情報の３つの情報とを含んで構成される。商品情報は、商品名情報と、付帯情報とを含んで構成される。付帯情報には、例えば商品名情報が「アイスクリーム」であれば、そのフレーバーである「チョコレート」等が該当する。
表示態様１２０（１２０Ａ〜１２０Ｃ）は商品明細情報を表示する。すなわち、表示態様１２０は商品情報を表示する商品情報欄１２１（１２１Ａ〜１２１Ｃ）と、個数情報を表示する個数情報欄１２２（１２２Ａ〜１２２Ｃ）と、金額情報を表示する金額情報欄１２３（１２３Ａ〜１２３Ｃ）とを含んで構成される。
【００２７】
表示態様１２０Ａ〜１２０Ｃの文字サイズは、表示態様１２０Ａ、表示態様１２０Ｂ、表示態様１２０Ｃの順に大きくなっていく。このように表示態様１２０Ａ〜１２０Ｃの文字サイズは異なるが、１商品の商品明細情報は１行に収められ、複数行に跨ることはない。
商品情報欄１２１Ａ〜１２１Ｃ、個数情報欄１２２Ａ〜１２２Ｃ、金額情報欄１２３Ａ〜１２３Ｃの縦幅、横幅のレイアウトは、文字サイズにあわせて予め設定されている。縦幅については、例えば、文字サイズが大きいほど広くなるように設定される。横幅については、例えば、金額情報欄１２３および個数情報欄１２２の横幅を、金額情報および個数情報が欠けることなく表示可能な幅とし、残りの幅を使って商品情報欄１２１を可能な限り広くするように設定される。本実施形態では、レイアウトは文字サイズを基準に設定されているが、操作者にとって見やすいレイアウトでさえあれば、他の要素が基準にされてもよい。たとえば、画面上の余白をどれだけとるかを基準にレイアウトを設定することなどが考えられる。
【００２８】
表示態様１２０Ａ〜１２０Ｃのように、個々の操作者の表示認識力に合わせた文字サイズとレイアウトを備えた表示態様に変化させることにより、操作者にとって情報の把握の容易な表示が可能となる。このように、表示態様１２０Ａ〜１２０Ｃは文字サイズに合わせて設定されたレイアウトを備えるため、操作者は、操作中に表示態様１２０が変更されても、変更前と同じように商品明細情報を把握し、かつ、表示認識力に適した表示態様１２０で操作を続行することができる。
【００２９】
商品名情報の文字列長が商品情報欄１２１の横幅に収まらない場合は、商品名情報のいずれかの表示項目に係る文字情報の表示を省略して表示する。
表示態様１２０Ｃではこの省略を、付帯情報のみを省略記号と置き換えることで行い、文字サイズを大きくした場合も、商品名情報は省略せずにそのまま表示する。具体的には、「アイスクリーム（チョコレート）」の付帯情報である「チョコレート」を省略記号に置き換えている。省略記号には、例えば三点リーダ等が該当し、操作者が商品情報の省略を認識できる文字、記号等を使用することができる。
【００３０】
このように省略することにより、操作者の表示認識力にあわせて文字サイズを大きくした場合もレイアウトが破綻しない。また、商品名情報が省略されないため、商品名で商品の大まかな内容を把握することが可能になる。
【００３１】
売上データ処理装置１の備える表示態様のパターンは上記の３つより多くても、逆に少なくてもよい。また、売上データ処理装置１は、表示態様のパターンを備えるのではなく、文字サイズのパターンを備え、表示する所定の文字サイズにあわせてレイアウトを調整するようにしてもよい。このレイアウトの調整は、表示態様１２０Ａ〜１２０Ｃにおけるレイアウトの設定と同様、縦幅を文字サイズに合わせ、商品情報欄１２１の横幅を可能な限り広くするようにして行ってもよいし、文字サイズ以外の要素を基準に行ってもよい。
【００３２】
図５は、売上登録処理時における第１の実施形態の変形例の表示部１２の表示態様１２０Ｄを示す概略図である。
表示態様１２０Ｄの構成は表示態様１２０Ｃと同一だが、省略の方法のみが異なる。商品情報欄１２１Ｄでは、商品情報の文字列を、商品名情報と付帯情報の区別なく商品情報欄１２１Ｄの横幅で表示できる長さに省略する。具体的には「アイスクリーム（チョコレート）」を「アイスクリーム（…」、「スクリュードライバー」を「スクリュードライ…」のように省略している。このように、商品情報欄１２１Ｄの横幅いっぱいに文字列を表示するように省略することにより、限られた表示領域を有効に活用することができる。このような省略により、例えば、商品名情報の文字列長によっては、第１の実施形態では省略されていた付帯情報の一部を表示することができる場合も考えられる。商品名は同一で付帯情報のみが異なる商品を多く取り扱うような場合は、本変形例の省略の方法も有益である。
【００３３】
図６は、第１の実施形態において、操作者がサインインしてから、売上登録を完了するまでのフロー図である。
まず、操作者は、自分に割り振られた担当者番号（識別情報）を入力部１５の置数キー２１で入力し、「担当者／部門シフト」キーを押すことで、売上データ処理装置１にサインインする（ステップＳ１０）。
【００３４】
操作者をサインインさせた売上データ処理装置１のＣＰＵ１１は、キャッシャー情報１４２を参照し、操作者の前回のサインインにおける終了時の表示態様１２０を取得し、表示態様として設定し（ステップＳ１１）、この表示態様１２０を表示部１２（画面）に表示する（ステップＳ１２）。このように操作者の前回の情報入力に応じた表示態様１２０で表示部１２に情報を表示させることにより、操作者は、最初から自分の表示認識力に適した表示態様で操作を開始することができる。
【００３５】
以降のフローは、売上登録処理における一纏まりの操作についての記載である。売上登録処理における一纏まりの操作とは、操作者が売上登録のためにキー入力を開始してから、「小計」キー２３を押して売上登録を完了するまでの操作、および、預かり金の入力を開始してから、「現／預」キー２４押して伝票を締めるまでの操作のことである。売上登録を完了する操作、または伝票を締める操作を、以降、区切り入力とも称する。ＣＰＵ１１は、この一纏まりの操作に要した時間と、一纏まりの操作中の入力キー数を測定することで、入力速度を算出し、算出した入力速度に基づいて表示態様１２０Ａ〜１２０Ｃのどの表示態様を表示するかを決定する。
【００３６】
操作者は入力部１５のキーを操作して売上登録のための入力を行い、売上データ処理装置１のＣＰＵ１１はこれを検知する（ステップＳ１３）。ＣＰＵ１１は、検知したキー入力が上記一纏まりの操作における最初の入力か否かを判定する（ステップＳ１４）。キー入力が最初の入力でなかった場合（ステップＳ１４：Ｎｏ）、ステップＳ１６に進む。キー入力が最初の入力だった場合（ステップＳ１４：Ｙｅｓ）、ＣＰＵ１１は、計時部１８によって取得した当該キー入力時刻を、入力開始時刻としてＲＡＭ１３に記憶し（ステップＳ１５）、ステップＳ１６に進む。
【００３７】
ステップＳ１６で、ＣＰＵ１１は、現在入力されたキーの種別から、操作者による入力内容を判定する。入力部１５に配されたキーの詳細については上述の図２の説明に記載してある。
入力されたキーが「訂正／中止」キー２７か、「戻」キー２８か、「Ｃ」キー２９であった場合は、操作者が訂正入力を行ったと判定し（ステップＳ１６：訂正入力）、ＣＰＵ１１はペナルティ処理を行った後（ステップＳ１７）、次のキー入力を待機する。このとき、ＣＰＵ１１は訂正入力を入力速度の測定の対象に含めず、入力キー数としてカウントアップしない。
【００３８】
なお、ここでいうペナルティ処理とは、入力速度から所定値を減算する処理であり、例えば、一纏まりの操作に要した時間を延長したり、または、入力キー数を減算したりしてもよく、他の手段で実現してもよい。
このような処理により、一見入力速度が早くても入力が不正確で手戻りが多い操作者について、実質的な入力速度を算出し、適切な表示態様１２０を選択することができる。
【００３９】
入力されたキーが「訂正／中止」キー２７でも、「戻」キー２８でも、「Ｃ」キー２９でも、「小計」キー２３でも、「現／預」キー２４でも、「信」キー２５でも、「券」キー２６でもない場合（ステップＳ１６：それ以外）、ＣＰＵ１１は入力キー数をカウントアップし（ステップＳ１８）、次のキー入力を待機する。
【００４０】
入力されたキーが「小計」キー２３か、「現／預」キー２４か、「信」キー２５か、「券」キー２６であった場合（ステップＳ１６：伝票締め  ｏｒ  売上登録完了）、操作者が伝票締め入力または売上登録完了入力を行ったと判定し、ＣＰＵ１１は、計時部１８によって取得した当該キー入力時刻を、入力停止時刻としてＲＡＭ１３に記憶する（ステップＳ１９）。なお、このとき、「信」キー２５または「券」キー２６が入力された場合、つまりクレジットカード払いや商品券払いの場合は、入力キーは一つだけである。よって、「信」キー２５または「券」キー２６が入力された場合、ＣＰＵ１１は入力速度の算出と設定および保存を行わずに、ステップＳ２２に進んで入力キー数を０にクリアする（非図示）。
【００４１】
ＣＰＵ１１は、入力開始時刻と入力停止時刻との差分から、操作に要した時間を取得し、入力キー数を、操作に要した時間で除算することによって、入力速度を算出する（ステップＳ２０）。
【００４２】
ＣＰＵ１１は、算出した入力速度に基づいて、表示する表示態様１２０を選択し、設定すると共に、設定した表示態様１２０をキャッシャー情報１４２に保存する（ステップＳ２１）。この表示態様１２０の選択と設定、保存の詳細については、後述の図７で記載する。
【００４３】
ＣＰＵ１１は入力キー数を０にクリアし（ステップＳ２２）、現在入力されたキーの種別から、入力内容が伝票締めと売上登録完了のどちらであるかを判定する（ステップＳ２３）。入力されたキーが「小計」キー２３であった場合は（ステップＳ２３：売上登録完了）、売上の一部または全部の登録完了の入力であったと判定し、ＣＰＵ１１は、ステップＳ２１で設定した表示態様１２０を表示部１２に表示する（ステップＳ１２）。入力されたキーが「現／預」キー２４か、「信」キー２５か、「券」キー２６であった場合は（ステップＳ２３：伝票締め）、伝票締めの入力だったと判定し、ＣＰＵ１１は処理を終了する。
【００４４】
図７は、ＣＰＵ１１が算出した入力速度に基づいて、表示態様１２０を設定し、設定した設定情報をキャッシャー情報１４２に保存するまでのフロー図である。図７は、図６におけるステップＳ２１を詳細に解説するものである。
【００４５】
上述の図４Ａ〜４Ｃについての説明で記載したように、売上データ処理装置１は、表示態様１２０Ａ〜１２０Ｃの３つの表示態様の内のいずれかで商品明細情報を表示する。売上データ処理装置１のＣＰＵ１１は、図６のステップＳ２０で算出した入力速度に基づいて、表示態様１２０Ａ〜１２０Ｃのいずれかを選択し、表示部１２に表示することで、操作者の表示認識力に適した画面での操作を可能にする。
【００４６】
ＣＰＵ１１は、表示態様の選択のため、入力速度の判定を行う（ステップＳ２１０）。一般に、操作の高速な操作者は、表示認識力も高い傾向にある。よって本実施形態では、入力速度が所定の閾値以上に速かったときは表示部１２に文字サイズの大きな表示態様１２０を適用し、入力速度が所定の閾値より遅かったときは、表示部１２に文字サイズの小さな表示態様１２０を適用する。
【００４７】
３つの表示態様で表示を制御するＣＰＵ１１は、入力速度の閾値Ｋ１と、閾値Ｋ２によって表示態様を判定する。なお、閾値の数は２つに限らず、表示態様がＮ種類ある場合、Ｎ−１個の閾値を設定する。
【００４８】
入力速度がＫ１以上であるとき（ステップＳ２１０：Ｋ１以上）、ＣＰＵ１１は、最も文字の小さな表示態様である表示態様１２０Ａを表示態様として設定する。入力速度がＫ１よりも小さくＫ２以上であるとき、ＣＰＵ１１は、中程度の表示態様である表示態様１２０Ｂを表示態様として設定する（ステップＳ２１０：Ｋ１より小さくＫ２以上）。入力速度がＫ２よりも遅いとき、ＣＰＵ１１は、最も文字の大きな表示態様である表示態様１２０Ｃを表示態様として設定する（ステップＳ２１０：Ｋ２より小さい）。
【００４９】
このように、ＣＰＵ１１は、操作者の情報入力の速度に応じて表示部１２の表示態様１２０を更新することができる。この更新により、操作者は、売上登録の操作を中断することなく、表示部１２を自分の表示認識力に応じた表示態様１２０に切り替え、快適に操作することができるようになる。
【００５０】
ＣＰＵ１１は、設定した表示態様１２０をキャッシャー情報１４２に保存し（ステップＳ２１４）、処理を終了する。
【００５１】
図６、図７では売上データ処理装置１が表示態様のパターンを備える第１の実施形態のフローについて記載したが、表示する文字サイズに応じてレイアウトを調整する場合のフローもこれと同様である。文字サイズに応じてレイアウトを調整する場合は、図６、図７の「表示態様」の代わりに「文字サイズ」を扱い、ステップＳ１２の表示において、表示する文字サイズに応じてレイアウトを調整してから、表示部に情報を表示する。
【００５２】
図８は、第２の実施形態における売上データ処理装置４の筐体を斜め前方から見たときの外観図である。
売上データ処理装置４は、入力部と表示部とを兼ねたタッチパネルディスプレイ４２と、筐体左側に設けられた客用表示部４５および印刷部４６とを含んで構成される。なお、不図示のドロアは、売上データ処理装置４の筐体と分離して配置される。
【００５３】
売上データ処理装置４の操作者は、タッチパネルディスプレイ４２を操作することにより、売上データ処理装置４に対する様々な情報入力を行う。例えば、操作者は、タッチパネルディスプレイ４２に表示された各商品に対応するキーをタップして商品情報を入力し、個数情報欄５２２をタップして個数を入力することで、売上を登録することができる。この売上の登録時に、売上データ処理装置４は、不図示のドロアを引き出して、預り金を入金させる。
【００５４】
図９は、第２の実施形態における売上データ処理装置４の構成を示すブロック図である。
【００５５】
図９において、売上データ処理装置４は、ＣＰＵ４１、タッチパネルディスプレイ４２，ＲＡＭ４３、記憶部４４、客用表示部４５、印刷部４６、ドロア４７、計時部４８を含んで構成されており、各部はバスによって接続されている。
【００５６】
ＣＰＵ４１は、制御部として働き、記憶部４４に記憶されている売上データ処理プログラム４４１と、タッチパネルディスプレイ４２から入力される各種指示とを、ＲＡＭ４３内のワークメモリに展開する。ＣＰＵ４１はさらに、この入力指示及び入力データに応じてワークメモリに展開した売上データ処理プログラム４４１に従って各種処理を実行し、その処理結果をＲＡＭ４３内のワークメモリに格納するとともに、タッチパネルディスプレイ４２に表示する。
【００５７】
図１０は、第２の実施形態における売上データ処理装置４の売上登録画面５Ａを示す概略図である。売上登録画面５Ａは大きく２つに分割され、左側には伝票情報欄５３が表示され、右側には小計と税、および、商品入力キー６４等が表示される。
【００５８】
右側のリターン記号キー（戻る）６０は、オペレータが入力を誤ったときに用いられる。「仮締め」キー６１は、仮締めするときに用いられる。「支払い」キー６３は、売上の入力を終えて締め画面５Ｂに移動するときに用いられる。締め画面５Ｂについては図１１で後述する。商品入力キー６４は、商品の名称と値段を表示し、タップされることで商品を左側の伝票情報に追加する。なお、商品入力キー６４には商品の名称だけでなく、画像も表示するようにしてもよい。
【００５９】
左側の伝票情報欄５３は、テーブル情報欄５１と商品明細情報欄５２を含んで構成される。第１の実施形態と同じく商品明細情報は商品名情報、個数情報、金額情報から構成される。商品明細情報欄５２の個数情報欄５２２をタップすると、テンキー入力が画面上に呼び出され（図示せず）、商品入力キー６４で入力した商品について個数を変更することができる。
【００６０】
図１１は、第２の実施形態における売上データ処理装置４の締め画面５Ｂを示す概略図である。締め画面５Ｂは大きく２つに分割され、左側の伝票情報欄５３は売上登録画面５Ａと共通である。
右側の「９」〜「０」，「００」，「・」等からなる置数キー６５は、預かり金の入力に用いられる。「戻る」キー６６は、操作者が売上入力の誤りに気づき、売上登録画面５Ａに戻るときに用いられる。「訂正」キー６７は、操作者が数値の入力を誤ったときに用いられる。「現金」キー６９は、現金による支払いの際の、預り金の入力の完了のときに用いられる。その他の支払い手段キー７０は、現金払い以外の、貸し売り、クレジット、商品券等の支払い方法を選択した場合に用いられる。「別々会計」キー７１は、テーブルの複数の客が別々の支払いを希望する場合に用いられる。
【００６１】
図１２〜１４は、第２の実施形態の売上登録画面５Ａと締め画面５Ｂとに共通して表示される伝票情報欄５３の表示態様５３０Ａ〜５３０Ｃを示す概略図である。
第２の実施形態の売上データ処理装置４は、個々の操作者の異なる表示認識力に対応できるよう、表示態様として、所定の文字サイズと所定のレイアウトの定義された表示態様５３０Ａ〜５３０Ｃの３つのパターンを備えている。図１２〜１４は、表示態様５３０Ａ〜５３０Ｃの文字サイズとレイアウトを示すものであり、記載された文字情報は操作者の入力に応じて更新される。
【００６２】
伝票情報は、テーブル情報と商品明細情報を含んで構成される。テーブル情報はテーブルＮｏ情報、客数情報、担当者情報を含んで構成され、テーブル情報欄５１（５１Ａ〜５１Ｃ）はこれらの情報を表示する。すなわち、テーブル情報欄５１は、テーブルＮｏ情報欄５１１（５１１Ａ〜５１１Ｃ）、客数情報欄５１２（５１２Ａ〜５１２Ｃ）、担当者情報欄５１３（５１３Ａ〜５１３Ｃ）を含んで構成される。
【００６３】
商品明細情報は、商品情報、個数情報、金額情報の３つの情報を含んで構成される。商品情報は、商品名情報と、付帯情報とを含んで構成される。付帯情報には、例えば商品名情報が「ハンバーグ」であれば、そのオプションである「チーズ」等が該当する。
商品明細情報欄５２（５２Ａ〜５２Ｃ）は商品明細情報を表示する。すなわち、商品明細情報欄５２は商品情報を表示する商品情報欄５２１（５２１Ａ〜５２１Ｃ）と、個数情報を表示する個数情報欄５２２（５２２Ａ〜５２２Ｃ）と、金額情報を表示する金額情報欄５２３（５２３Ａ〜５２３Ｃ）とを含んで構成される。
【００６４】
表示態様５３０Ａ〜５３０Ｃの文字サイズは、表示態様５３０Ａ、表示態様５３０Ｂ、表示態様５３０Ｃの順に大きくなっていく。なお、テーブル情報欄５１、商品明細情報欄５２の文字サイズがこのように変更されても、スクロール＆中止キー５３１には変更がない。スクロール＆中止キー５３１は変更しないことにより、操作者は、文字サイズが変更されても違和感なく操作を続行することができる。
【００６５】
商品情報の文字列長が商品情報欄５２１の横幅に収まらない場合は、商品情報の文字列を商品情報欄５２１内に収まる長さに省略して表示する。
表示態様５３０Ｃではこの省略を、付帯情報のみを省略記号と置き換えることで行い、文字サイズを大きくした場合も、商品名情報は省略されずにそのまま表示される。具体的には、「ハンバーグ（煮込み）」の付帯情報である「煮込み」を省略記号に置き換え、「ハンバーグ（チーズ）」の付帯情報である「チーズ」を省略記号に置き換えている。省略記号には、例えば三点リーダ等が該当し、操作者が商品情報の省略を認識できる文字、記号等を使用することができる。
【００６６】
このように省略することにより、操作者の表示認識力にあわせて文字サイズを大きくした場合も、レイアウトが破綻しない。また、商品名情報が省略されないため、商品名で商品の大まかな内容を把握することが可能になる。
【００６７】
売上データ処理装置４の備える表示態様のパターンは上記の３つより多くても、逆に少なくてもよい。また、売上データ処理装置４は、表示態様のパターンを備えるのではなく、文字サイズのパターンを備え、表示する所定の文字サイズにあわせてレイアウトを調整するようにしてもよい。このレイアウトの調整は、表示態様５３０Ａ〜５３０Ｃにおけるレイアウトの設定と同様に、縦幅を文字サイズに合わせ、商品情報欄５２１の横幅を可能な限り広くするように行ってもよいし、文字サイズ以外の要素を基準に行ってもよい。
【００６８】
図１５は、売上登録処理時における第２の実施形態の変形例の伝票情報欄５３の表示態様５３０Ｄを示す概略図である。
表示態様５３０Ｄの構成は基本的に表示態様５３０Ｃと同一だが、省略の方法のみが異なる。商品情報欄５２１Ｄでは、商品情報の文字列を、商品名情報と付帯情報の区別なく商品情報欄５２１Ｄの横幅で表示できる長さに省略する。具体的には「ハンバーグ（煮込み」を「ハンバーグ（煮…」、「ハンバーグ（チーズ）」を「ハンバーグ（チ…」、「スクリュードライバー」を「スクリュード…」のように省略している。このように、商品情報欄５２１Ｄの横幅いっぱいに文字列を表示するように省略することにより、限られた表示領域を有効に活用することができる。このような省略により、例えば、商品名情報の文字列長によっては、第２の実施形態では省略されていた付帯情報の一部を表示することができる。商品名は同一で付帯情報のみが異なる商品を多く取り扱うような場合は本変形例の省略の方法も有益である。
【００６９】
図１６は、第２の実施形態において、操作者がサインインしてから、売上登録を完了するまでのフロー図である。
まず、操作者は、タッチパネルディスプレイ４２に表示されたサインオン画面で、自分の名前の表示された担当者キーをタップするか、または自分に割り振られた担当者番号を入力することにより、自分の識別情報を入力し、売上データ処理装置４にサインインする（ステップＳ３０）。
【００７０】
操作者をサインインさせた売上データ処理装置４のＣＰＵ４１は、キャッシャー情報４４２を参照し、操作者の前回のサインインにおける終了時の表示態様５３０を取得し、表示態様として設定し（ステップＳ３１）、この表示態様５３０をタッチパネルディスプレイ４２（画面）に表示する（ステップＳ３２）。
【００７１】
以降のフローは、売上登録処理における一纏まりの操作についての記載である。売上登録処理における一纏まりの操作とは、操作者が会計対象の売上登録のためにキー入力を開始してから、「支払い」キー６３をタップして締め画面５Ｂに移行する（売上登録を完了する）までの操作、および、預かり金の入力を開始してから、「現金」キー６９をタップして伝票を締めるまでの操作のことである。売上登録を完了する操作、または伝票を締める操作を、以降、区切り入力とも称する。ＣＰＵ４１は、この一纏まりの操作に要した時間と、一纏まりの操作中の入力キー数を測定することで、入力速度を算出し、算出した入力速度に基づいて表示態様５３０Ａ〜５３０Ｃのどの表示態様を表示するかを決定する。
【００７２】
操作者はタッチパネルディスプレイ４２に表示されたキーを操作して売上登録のための入力を行い、ＣＰＵ４１はこれを検知する（ステップＳ３３）。ＣＰＵ４１は、検知したキー入力が上記一纏まりの操作における最初の入力か否かを判定する（ステップ３４４）。キー入力が最初の入力でなかった場合（ステップＳ３４：Ｎｏ）、ステップＳ３６に進む。キー入力が最初の入力だった場合（ステップＳ３４：Ｙｅｓ）、ＣＰＵ４１は、計時部４８によって取得した当該キー入力時刻を、入力開始時刻としてＲＡＭ４３に記憶し（ステップＳ４５）、ステップＳ４６に進む。
【００７３】
ステップＳ４６で、ＣＰＵ４１は、現在入力されたキーの種別から、操作者による入力内容を判定する。タッチパネルディスプレイ４２に配されたキーの詳細については上述の図１０、図１１の説明に記載してある。
入力されたキーがリターン記号キー６０か、「戻る」キー６６か、「訂正」キー６７か、「Ｃ」キー６８であった場合は、操作者が訂正入力を行ったと判定し（ステップＳ４６：訂正入力）、ＣＰＵ４１はペナルティ処理を行った後（ステップＳ４７）、次のキー入力を待機する。このとき、ＣＰＵ４１は訂正入力を入力速度の測定の対象に含めず、入力キー数としてカウントアップしない。
【００７４】
なお、ここでいうペナルティ処理とは、入力速度から所定値を減算する処理であり、例えば、一纏まりの操作に要した時間を延長したり、または、入力キー数を減算したりしてもよく、他の手段で実現してもよい。
このような処理により、一見入力速度が早くても入力が不正確で手戻りが多い操作者について、実質的な入力速度を算出し、適切な表示態様５３０を選択することができる。
【００７５】
入力されたキーがリターン記号キー６０でも、「戻る」キー６６でも、「訂正」キー６７でも、「Ｃ」キー６８でも、「支払い」キー６３でも、「現金」キー６９でも、その他の支払い手段キー７０でも、「別々会計」キー７１でもない場合（ステップＳ４６：それ以外）、ＣＰＵ４１は入力キー数をカウントアップし（ステップＳ３８）、次のキー入力を待機する。
【００７６】
入力されたキーが「支払い」キー６３か、「現金」キー６９か、その他の支払い手段キー７０か、「別々会計」キー７１であった場合（ステップＳ１６：伝票締め  ｏｒ  売上登録完了）、操作者が伝票締め入力または売上登録完了入力を行ったと判定し、ＣＰＵ４１は、計時部４８によって取得した当該キー入力時刻を、入力停止時刻としてＲＡＭ４３に記憶する（ステップＳ３９）。なお、このとき、その他の支払い手段キー７０をタップされた場合、つまりクレジットカード払いや商品券払いの場合は、キーは一つしか入力されない。よって、その他の支払い手段キー７０がタップされた場合、ＣＰＵ４１は入力速度の算出と設定および保存を行わずに、ステップＳ４２に進んで入力キー数を０にクリアする（非図示）。
【００７７】
ＣＰＵ４１は、入力開始時刻と入力停止時刻との差分から、操作に要した時間を取得し、入力キー数を、操作に要した時間で除算することによって、入力速度を算出する（ステップＳ４０）。
【００７８】
ＣＰＵ４１は、算出した入力速度に基づいて、表示する表示態様５３０を選択し、設定すると共に、設定した表示態様５３０をキャッシャー情報４４２に保存する（ステップＳ４１）。この表示態様５３０の選択と設定、保存の詳細は、前述の図７と同様である。
【００７９】
ＣＰＵ４１は入力キー数を０にクリアし（ステップＳ４２）、現在入力されたキーの種別から、入力内容が売上登録完了と伝票締めのどちらであるかを判定する（ステップＳ４３）。入力されたキーが「支払い」キー６３であった場合は（ステップＳ４３：売上登録完了処理）、売上登録完了処理の入力であったと判定し、ＣＰＵ４１は、締め画面４Ｂに移行し（ステップＳ４４）、ステップＳ４１で設定した表示態様５３０をタッチパネルディスプレイ４２に表示する（ステップＳ３２）。入力されたキーが「現金」キー６９か、その他の支払い手段キー７０か、「別々会計」キー７１であった場合は（ステップＳ４３：伝票締め）、伝票締めの入力だったと判定し、ＣＰＵ４１は処理を終了する。
【００８０】
図１６では売上データ処理装置４が表示態様のパターンを備える第２の実施形態のフローについて記載したが、表示する文字サイズに応じてレイアウトを調整する場合のフローもこれと同様である。文字サイズに応じてレイアウトを調整する場合は、図１６の「表示態様」の代わりに「文字サイズ」を扱い、ステップＳ３２の表示において、表示する文字サイズに応じてレイアウトを調整してから、表示部に情報を表示する。
【００８１】
以下に、この出願の願書に最初に添付した特許請求の範囲に記載した発明を付記する。付記に記載した請求項の項番は、この出願の願書に最初に添付した特許請求の範囲の通りである。
〔付記〕
【００８２】
《請求項１》
キー操作による操作者からの情報入力を受け付ける入力部と、
表示部の表示態様を、前記情報入力の速度に応じて更新する制御部と、
を備える売上データ処理装置。
《請求項２》
前記制御部は、前記情報入力の速度が閾値よりも遅いとき、前記表示態様を、より大きな文字サイズとレイアウトが定義された所定の表示態様に切り替える
ことを特徴とする請求項１に記載の売上データ処理装置。
《請求項３》
前記制御部は、前記情報入力の速度が閾値よりも遅いとき、前記表示態様の文字サイズをより大きく表示させると共に、前記表示態様のレイアウトを前記文字サイズに合わせて調整する、
ことを特徴とする請求項１に記載の売上データ処理装置。
《請求項４》
前記制御部は、前記情報入力の速度が前記閾値よりも遅いとき、いずれかの表示項目に係る文字情報の表示の省略を行う、
ことを特徴とする請求項２または請求項３に記載の売上データ処理装置。
《請求項５》
前記制御部は、前記省略において、１つの商品明細情報を１行に収める、
ことを特徴とする請求項４に記載の売上データ処理装置。
《請求項６》
前記制御部は、前記省略において、表示させる前記文字サイズに応じて、商品名情報の付帯情報を省略する
ことを特徴とする請求項４に記載の売上データ処理装置
《請求項７》
前記制御部は、前記省略において、表示させる前記文字サイズに応じて、商品名情報の末尾の文字列を省略する、
ことを特徴とする請求項４に記載の売上データ処理装置
《請求項８》
前記制御部は、前記情報入力の速度が閾値よりも速いとき、前記表示態様を、より小さな文字サイズとレイアウトが定義された所定の表示態様に切り替える
ことを特徴とする請求項１に記載の売上データ処理装置。
《請求項９》
前記制御部は、前記情報入力の速度が閾値以上に速いとき、前記表示態様の文字サイズをより小さく表示させると共に、前記表示態様のレイアウトを前記文字サイズに合わせて調整する、
ことを特徴とする請求項１に記載の売上データ処理装置。
《請求項１０》
前記制御部は、所定の区切り入力ごとに前記情報入力の速度を算出し、前記表示部による表示を、前記情報入力の速度に応じて更新する、
ことを特徴とする請求項１ないし９のうちいずれか１項に記載の売上データ処理装置。
《請求項１１》
前記入力部は、前記操作者の識別情報の入力を受け付け、
前記制御部は、前記操作者の識別情報が入力されたとき、前記操作者による前回の情報入力の速度に応じた表示態様で、前記表示部に情報を表示させる、
ことを特徴とする請求項１ないし１０のうちいずれか１項に記載の売上データ処理装置。
《請求項１２》
前記制御部は、前記入力部が情報入力の訂正入力を受け付けた際、当該訂正入力を入力に含めず、かつ前記情報入力の速度から所定値を減算する、
ことを特徴とする請求項１ないし１０のうちいずれか１項に記載の売上データ処理装置。
《請求項１３》
入力部と表示部とを備えるコンピュータに、
前記入力部により情報入力を受け付ける工程、
前記情報入力の速度に応じた表示態様で前記表示部に情報を表示させる工程、
を実行させるための売上データ処理プログラム。
【符号の説明】
【００８３】
１  売上データ処理装置
１２  表示部
１２０Ａ，１２０Ｂ，１２０Ｃ，１２０Ｄ，５３０Ａ，５３０Ｂ，５３０Ｃ，５３０Ｄ  表示態様
１２１Ａ，１２１Ｂ，１２１Ｃ，１２１Ｄ，５２１Ａ，５２１Ｂ，５２１Ｃ，５２１Ｄ  商品情報欄
１２２Ａ，１２２Ｂ，１２２Ｃ，１２２Ｄ，５２２Ａ，５２２Ｂ，５２２Ｃ，５２２Ｄ  個数情報欄
１２３Ａ，１２３Ｂ，１２３Ｃ，１２３Ｄ，５２３Ａ，５２３Ｂ，５２３Ｃ，５２３Ｄ  金額情報欄
１３  ＲＡＭ
１４  記憶部
１４１  売上データ処理プログラム
１４２  キャッシャー情報
１５  入力部
１６  印刷部
１７  ドロア
１８  計時部
２１  置数キー
２２  「部門」キー
２３  「小計」キー
２４  「現／預」キー
２５  「信」キー
２６  「券」キー
２７  「訂正／中止」キー
２８  「戻」キー
２９  「Ｃ」キー
４  売上データ処理装置
４１  ＣＰＵ
４２  タッチパネルディスプレイ
４３  ＲＡＭ
４４  記憶部
４４１  売上データ処理プログラム
４４２  キャッシャー情報
４５  客用表示部
４６  印刷部
４７  ドロア
４８  計時部
５Ａ  売上登録画面
５１  テーブル情報欄
５１１Ａ，５１１Ｂ，５１１Ｃ，５１１Ｄ  テーブルＮｏ情報欄
５１２Ａ，５１２Ｂ，５１２Ｃ，５１２Ｄ  客数情報欄
５１３Ａ，５１３Ｂ，５１３Ｃ，５１３Ｄ  担当者情報欄
５２  商品明細情報欄
５３  伝票情報欄
６０  リターン記号キー
６１  「仮締め」キー
６３  「支払い」キー
６４  商品入力キー
５Ｂ  締め画面
６７  「訂正」キー
６８  「Ｃ」キー
６９  「現金」キー
７０  その他の支払い手段キー
７１  「別々会計」キー
【図１】
2020013503.tif 000003
【図２】
2020013503.tif 000004
【図３】
2020013503.tif 000005
【図４Ａ】
2020013503.tif 000006
【図４Ｂ】
2020013503.tif 000007
【図４Ｃ】
2020013503.tif 000008
【図５】
2020013503.tif 000009
【図６】
2020013503.tif 000010
【図７】
2020013503.tif 000011
【図８】
2020013503.tif 000012
【図９】
2020013503.tif 000013
【図１０】
2020013503.tif 000014
【図１１】
2020013503.tif 000015
【図１２】
2020013503.tif 000016
【図１３】
2020013503.tif 000017
【図１４】
2020013503.tif 000018
【図１５】
2020013503.tif 000019
【図１６】
2020013503.tif 000020